(57)【要約】【課題】  、ユーザ属性の取得の過程を可能な限りユーザに意識させることなく、より詳細なユーザ属性情報を好適に取得して広告を配信できるようにする。【解決手段】  情報端末からの接続要求を受け付け、前記情報端末に対して無線による回線接続を提供するとともに、特定の場所に対して固定で設置されるアクセスポイントと前記アクセスポイントが設置されている場所に関する場所属性情報を記憶した場所属性記憶部と、前記場所属性情報に対応して配信される広告情報を予め設定して記憶した広告情報記憶部と、接続された前記アクセスポイントに対応する前記場所属性情報に基づいて、前記情報端末に配信する広告情報を決定する決定部と、前記情報端末が、前記アクセスポイントに接続を要求して前記無線による回線接続が正常にされた際に、前記情報端末の画面上に前記決定部で決定された広告情報を表示させる広告配信部と、を備える。【選択図】  図３
2018022252.tif 000002
【特許請求の範囲】
【請求項１】
情報端末からの接続要求を受け付け、前記情報端末に対して無線による回線接続を提供するとともに、特定の場所に対して固定で設置されるアクセスポイントと、
前記アクセスポイントが設置されている場所に関する場所属性情報を記憶した場所属性記憶部と、
前記場所属性情報に対応して配信される広告情報を予め設定して記憶した広告情報記憶部と、
接続された前記アクセスポイントに対応する前記場所属性情報に基づいて、前記情報端末に配信する広告情報を決定する決定部と、
前記情報端末が、前記アクセスポイントに接続を要求して前記無線による回線接続が正常にされた際に、前記情報端末の画面上に前記決定部で決定された広告情報を表示させる広告配信部と、
を備えることを特徴とする広告配信システム。
【請求項２】
前記場所属性記憶部は、前記アクセスポイントが設置されている場所に関する場所属性情報に対応するユーザ位置属性情報を予め記憶しており、
前記アクセスポイントに対して前記情報端末からの接続要求があった場合に、前記情報端末を所有するユーザのユーザ属性情報として、接続先の前記アクセスポイントの前記ユーザ位置属性情報を前記情報端末に保存されるクッキー情報、及び前記アクセスポイントと接続されたサーバの記憶部に記憶するユーザ属性記憶部と、
をさらに備え、
前記決定部は、前記記憶部に記憶された前記ユーザ属性情報に基づいて、前記情報端末に配信する前記広告情報を決定するとともに、
前記広告配信部は、前記情報端末の画面上に前記決定部で決定された広告情報を表示させる
ことを特徴とする請求項１に記載の広告配信システム。
【請求項３】
前記情報端末が前記アクセスポイントに接続要求を行った際に、前記情報端末を所有するユーザに関する住所情報、性別情報、及び年齢情報の少なくとも１つを含む質問を前記情報端末の画面上に表示させ、当該質問に関する回答を受け付けるユーザ情報取得部と、
をさらに備え、
前記ユーザ属性記憶部は、前記質問に対する回答を、当該ユーザに関する前記ユーザ属性情報として、クッキー情報、及び前記記憶部に記憶させる
ことを特徴とする請求項２に記載の広告配信システム。
【請求項４】
前記ユーザ情報取得部は、前記情報端末が接続要求を行った前記アクセスポイントに対応する前記場所属性情報に基づいて、前記情報端末の画面上に表示させる質問を変更する
ことを特徴とする請求項３に記載の広告配信システム。
【発明の詳細な説明】
【技術分野】
【０００１】
本発明は、広告配信システムに関するものである。
【背景技術】
【０００２】
近年、パーソナルコンピュータやスマートフォン（モバイル端末）等の端末装置を介してユーザの情報を収集、解析し、ユーザの各種属性（性別、年齢等）に合わせた広告を配信するシステムが種々開発されている。ここで、広告を掲載する会社（広告主）等の要望に応じて、特定地域で行動あるいは居住等するユーザに対して広告を配信したい場合がある。
【先行技術文献】
【特許文献】
【０００３】
【特許文献１】特開２０１０−５５３５２号公報
【発明の概要】
【発明が解決しようとする課題】
【０００４】
このような広告配信システムにおいては、広告を配信するユーザの属性が重要であり、広告主はできるだけ詳細なユーザの属性情報に基づいて広告を配信したいというニーズがある。そこで、ユーザの属性情報を取得するためにオンラインストアでの注文時の情報や、質問フォームへの入力した情報などからユーザ属性を取得することが従来より行われていたが、このようにユーザの能動的なアクションに基づいた属性情報の取得は、ユーザの心理的な抵抗感が多く、ユーザの属性情報の取得の上での障害となっていた。
【０００５】
本発明は、上記課題を解決するためのものであり、ユーザ属性の取得の過程を可能な限りユーザに意識させることなく、より詳細なユーザ属性情報を好適に取得して広告を配信できるようにすることを目的とする。
【課題を解決するための手段】
【０００６】
上記目的を解決するために、実施形態の広告システムは、情報端末からの接続要求を受け付け、前記情報端末に対して無線による回線接続を提供するとともに、特定の場所に対して固定で設置されるアクセスポイントと、前記アクセスポイントが設置されている場所に関する場所属性情報を記憶した場所属性記憶部と、前記場所属性情報に対応して配信される広告情報を予め設定して記憶した広告情報記憶部と、接続された前記アクセスポイントに対応する前記場所属性情報に基づいて、前記情報端末に配信する広告情報を決定する決定部と、前記情報端末が、前記アクセスポイントに接続を要求して前記無線による回線接続が正常にされた際に、前記情報端末の画面上に前記決定部で決定された広告情報を表示させる広告配信部と、を備える。
【０００７】
また、前記場所属性記憶部は、前記アクセスポイントが設置されている場所に関する場所属性情報に対応するユーザ位置属性情報を予め記憶しており、前記アクセスポイントに対して前記情報端末からの接続要求があった場合に、前記情報端末を所有するユーザのユーザ属性情報として、接続先の前記アクセスポイントの前記ユーザ位置属性情報を前記情報端末に保存されるクッキー情報、及び前記アクセスポイントと接続されたサーバの記憶部に記憶するユーザ属性記憶部と、をさらに備える。
【０００８】
前記決定部は、前記記憶部に記憶された前記ユーザ属性情報に基づいて、前記情報端末に配信する前記広告情報を決定するとともに、前記広告配信部は、前記情報端末の画面上に前記決定部で決定された広告情報を表示させる。
【０００９】
また、前記情報端末が前記アクセスポイントに接続要求を行った際に、前記情報端末を所有するユーザに関する住所情報、性別情報、及び年齢情報の少なくとも１つを含む質問を前記情報端末の画面上に表示させ、当該質問に関する回答を受け付けるユーザ情報取得部と、を備える。
【００１０】
また、前記ユーザ情報取得部は、前記情報端末が接続要求を行った前記アクセスポイントに対応する前記場所属性情報に基づいて、前記情報端末の画面上に表示させる質問を変更する。
【発明の効果】
【００１１】
本発明の実施形態の広告配信システムにあっては、ユーザ属性の取得の過程を可能な限りユーザに意識させることなく、より詳細なユーザ属性情報を好適に取得して広告を配信できるようになる。
【図面の簡単な説明】
【００１２】
【図１】実施形態に係る広告配信システムの全体構成を示す説明図である。
【図２】実施形態に係る広告配信システムに適用されるサーバの概略構成を示すブロック図である。
【図３】実施形態に係る広告配信システムの機能構成を示す機能ブロック図である。
【図４】ＤＭＰデータベースのユーザ属性情報のテーブルの構成例を示す説明図である。
【図５】ＤＭＰデータベースの場所属性情報のテーブルの構成例を示す説明図である。
【図６】実施形態に係る広告配信システムで実行されるＤＭＰ情報の収集処理の処理手順を示すフローチャートである。
【図７】実施形態に係る広告配信システムに適用される広告情報の配信システムの機能構成を示す説明図である。
【図８】実施形態に係る広告配信システムで実行される広告情報表示処理の処理手順を示すフローチャートである。
【図９】実施形態に係る広告配信システムによって端末装置に表示される例を示す説明図である。
【発明を実施するための形態】
【００１３】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１４】
（実施の形態）
［システムの全体構成］
図１の説明図を参照して、実施形態に係る広告配信システム１の全体構成について説明する。
【００１５】
図１に示すように、各ユーザＵ１、Ｕ２は、パーソナルコンピュータＰ１やスマートフォン等のモバイル端末Ｐ２を使用してインターネット等のネットワークにアクセスできるようになっている。なお、説明の便宜上、図１では、ユーザＵ１、Ｕ２の２名のみ示すが、パーソナルコンピュータＰ１やモバイル端末Ｐ２等の各種ユーザ全般に対して本システム１を適用可能なことは勿論である。
【００１６】
また、本実施形態において、ユーザＵ１、Ｕ２は、所定のサイトより商品や役務の販売等のサービスの提供を受ける際などに、所定のサイトからユーザＩＤを付与されているものとする。
【００１７】
そして、図１に示すように、ユーザＵ１は、パーソナルコンピュータＰ１上のブラウザ等を操作して、有線ネットワークＮ１を介して通信ネットワーク１１上の所定のサイトにアクセスする。また、ユーザＵ２は、スマートフォン等のモバイル端末Ｐ２を操作して、無線ネットワークＮ２および基地局１０ａを介して通信ネットワーク１１上の所定のサイトにアクセスする。
【００１８】
また、パーソナルコンピュータＰ１やモバイル端末Ｐ２は、アクセスポイント５０を通じて、基地局１０ｂから通信ネットワーク１１にも接続可能である。アクセスポイント５０は、ＷｉＦｉによる接続を提供するアクセスポイントであり、接続に認証が必要な場合と、認証せずに接続が可能な場合の両方の場合であってもよい。アクセスポイント５０は、ログサーバ１０１と接続しており、アクセスポイント５０に接続された情報端末であるパーソナルコンピュータＰ１やモバイル端末Ｐ２のユーザ属性情報が記憶されていく。このユーザ属性をいかに取得して記憶していくかについては後述する。
【００１９】
そして、通信ネットワーク１１へのアクセス情報は、ＳＳＰ・ＡｄＸ１２へ送信される。  ここで、ＳＳＰ・ＡｄＸについて簡単に説明する。 まず、ＳＳＰ（Ｓｕｐｐｌｙ−Ｓｉｄｅ  Ｐｌａｔｆｏｒｍ）は、広告情報等の媒体側の収益を最大化させる仕組みを有するプラットフォームの総称である。また、ＡｄＸは、Ａｄ  Ｅｘｃｈａｎｇｅ（アドエクスチェンジ）」の略であり、ＲＴＢ（Ｒｅａｌ  Ｔｉｍｅ  Ｂｉｄｄｉｎｇ：リアルタイム入札）を行う取引市場の役割を担う。
【００２０】
ＳＳＰ・ＡｄＸ１２は、オープンなプラットフォームとして、多くのＤＳＰ（Ｄｅｍａｎｄ−Ｓｉｄｅ  Ｐｌａｔｆｏｒｍ）と接続し、入札競争によって、媒体収益を高めるという役割を有する。また、媒体を厳選して、価値の高い媒体等を集めるという役割も担っている。
【００２１】
なお、ＤＳＰは、広告在庫の買い付け、広告配信、掲載面、創作性の分析、入札単価の調整、オーディエンスターゲティングなど、広告主のための最適化を行うシステムの総称である。そして、本実施形態において、ＳＳＰ・ＡｄＸ１２は、広告情報の入札を行う入札サーバ６０にアクセスするようになっている。
【００２２】
また、入札サーバ６０へのアクセス履歴等は、ログサーバ１０１に送信されるようになっている。
【００２３】
そして、ＳＳＰ・ＡｄＸ１２における処理によって、所定の広告情報が落札された場合には、落札情報が受信サーバ６１に送信される。
【００２４】
受信サーバ６１は、広告配信サーバ６２にアクセスし、広告配信サーバ６２は、パーソナルコンピュータＰ１またはモバイル端末Ｐ２に対して広告情報を配信する。
【００２５】
［サーバの構成］
次に、図２のブロック図を参照して、前出の各種サーバ（入札サーバ６０、推測サーバ１００等）の構成について説明する。なお、本実施形態においては、各サーバは、同一の構成を有しているものとする。
【００２６】
図２に示すように、各種サーバは、各種演算処理を行うＣＰＵ２１ａ、２１ｂにバス２５を介して、通信処理の全般を担う通信インターフェイス２２、演算処理の作業エリア等として用いられるＲＡＭ等で構成されるメインメモリ２３、ＢＩＯＳを格納したＲＯＭ２４、各種データのインプット、アウトプットの制御を行うＩ／Ｏコントローラ２６等を備える。
【００２７】
また、Ｉ／Ｏコントローラ２６には、各種データやプログラム等を格納したハードディスク２７、各種データ等を格納した光ディスクを駆動する光ディスクドライブ２８および各種データ等を格納した不揮発性メモリ等で構成される半導体メモリ２９などが接続されている。
【００２８】
なお、入札サーバ６０は、各端末装置に配信する広告情報を決定する決定部に相当し、広告配信サーバ６２は、決定された広告情報を対応する端末装置に配信する広告配信部に相当する。
【００２９】
［システムの機能構成］
次に、図３の機能ブロック図を参照して、本実施形態に係る広告配信システム１の機能構成について説明する。
【００３０】
まず、パーソナルコンピュータＰ１およびスマートフォン等のモバイル端末Ｐ２からアクセスされた場合の機能および処理の流れについて説明する。
【００３１】
パーソナルコンピュータＰ１およびモバイル端末Ｐ２はユーザの操作により、情報取得連携メディア３０としての所定のウェブサイトにアクセスする。
【００３２】
そして、ウェブサイトで取得された各種情報（例えば、会員登録、商品購入等によって取得される情報であり、具体例については後述する）は、メディア情報受信部３１で受信され、ＤＭＰデータベース（ＤＭＰＤＢ）３２に格納される。
【００３３】
なお、ＤＭＰデータベース３２は、記憶部に相当し、ＤＭＰデータベース３２上にユーザ属性記憶部５５、及び場所属性記憶部５４が実装されている。
【００３４】
また、パーソナルコンピュータＰ１およびモバイル端末Ｐ２は、アクセスポイント５０によって提供されるアクセスポイントに対して、ＷｉＦｉによる接続要求を行う。アクセスポイント５０は予め所定の店舗やサービスエリア、公共施設などに対して設置される端末であり、所定の距離内に存在する情報端末に対して無線による接続サービスを提供する。
【００３５】
アクセスポイント５０に対して接続を要求したパーソナルコンピュータＰ１およびモバイル端末Ｐ２に対しては、接続時に情報取得連携メディア２０に対する自動接続がされる。そして、この情報取得連携メディア２０に対して接続された際に、接続確認部５１から接続を許可するための認証情報の送受信を行う。認証情報は、例えばパスワードや、メールアドレス、電話番号などアクセスポイント５０が提供する接続サービスによって異なる。なお、本実施形態では、接続認証を行う形式としたが、認証をせずに誰であっても接続可能なようにしていてもよい。
【００３６】
また、ユーザ情報取得部５６は、情報取得連携メディア２０を通じて、パーソナルコンピュータＰ１およびモバイル端末Ｐ２がアクセスポイント５０に接続要求を行った際に、ユーザに関する住所情報、性別情報、及び年齢情報の少なくとも１つを含む質問を情報端末の画面上に表示させる。この際に表示させる質問としては、住所や性別、年齢のほか、例えば職業、年収、趣味、自動車や持ち家の有無などの情報であってもよい。なお、このようなユーザに対する質問は必須ではなく省略してもよい。
【００３７】
また、アクセスポイント５０に接続されたパーソナルコンピュータＰ１およびモバイル端末Ｐ２がアクセスポイント５０の画面上には、情報取得連携メディア２０を通じてアクセスポイント５０毎に設定された広告が広告配信部５２によって表示される。アクセスポイント５０に対しては、場所属性記憶部５４によって、アクセスポイント５０が設置されている場所に関する場所属性情報に対応するユーザ位置属性情報が設定されている。決定部は５３は、このアクセスポイント５０毎のユーザ位置属性情報に基づいて、アクセスポイント５０に対して配信する広告を決定する。
【００３８】
具体的には、広告配信を希望する広告主が、例えば20代の女性が多いエリアに対して配信したいという希望で広告の設定を行った場合、ユーザ位置属性情報が20代女性に対応した内容となっているエリアのアクセスポイント５０に対して広告配信の決定がされる。
【００３９】
また、ユーザ情報取得部５６は入力された質問に対する回答を受け付け、受け付けた回答をＤＭＰデータベース３２内に存在するユーザ属性記憶部５５に対して受け渡す。なお、ユーザ情報取得部５６が質問する質問項目については、ＤＭＰデータベース３２内において記憶されている。
【００４０】
なお、ＤＭＰデータベース３２に記憶されている質問項目は固定のものであってもよいし、アクセスポイント５０が設置されているエリアごとに個別に設定されていてもよい。後者の場合、ＤＭＰデータベース３２内に設けられた場所属性記憶部５４によって、各アクセスポイント５０に関連付けて、質問項目を管理するようにすることができる。例えば、アクセスポイント５０が設置されているエリアが、高速道路のサービスエリアなどの場合では、ユーザは車を所有している可能性が高いため、車に関する質問を表示するなどといったように、よりユーザの特性に応じて、質問項目を設定することができるようになる。
【００４１】
また、ＤＭＰデータベース３２では、場所属性記憶部５４によって、アクセスポイント５０が設置されている場所の関する場所属性情報に対応するユーザ位置属性情報が記憶され管理されている。図５は、場所属性情報とユーザ位置属性情報の対応関係を示すデータベースの構成の一例であり、大学ではユーザは学生であることを示すユーザ位置属性情報が、病院においては治療が必要、のような属性が対応付けて記憶されている。
【００４２】
したがって、アクセスポイント５０に接続要求を行ったパーソナルコンピュータＰ１およびモバイル端末Ｐ２のユーザの属性情報が、アクセスポイント５０に接続するだけで取得できるようになる。このようにアクセスポイント５０に対して接続することで取得されたユーザ属性情報は、ユーザ情報取得部５６によって情報端末内のクッキー情報として保存される処理が行われるとともに、同様の情報がＤＭＰデータベース３２のユーザ属性記憶部５５にも渡される。そして、ユーザ属性記憶部５５がクッキー情報と、ユーザ属性情報を対応づけて記憶部に保存する処理を行う。
【００４３】
また、ＤＭＰは、Ｄａｔａ  Ｍａｎａｇｅｍｅｎｔ  Ｐｌａｔｆｏｒｍ（データ・マネージメント・プラットフォーム）の略であり、オーディエンスデータ、即ちユーザの属性データや行動データを管理する仕組みの総称である。ＤＭＰは、インターネット上の種々のサーバに蓄積されるビッグデータや特定サイトのログデータなどを一元管理し、蓄積されたデータを解析して、広告配信などの処理の最適化を行うシステムである。
【００４４】
また、ＤＭＰデータベース３２に蓄積されたユーザの属性情報は属性情報送信部３４を介して情報取得連携メディア３０としての所定のウェブサイトに送信され、パーソナルコンピュータＰ１およびモバイル端末Ｐ２との間で行われる各種処理に利用される。
【００４５】
一方、パーソナルコンピュータＰ１およびモバイル端末Ｐ２の操作により、広告配信先メディア４０にアクセスした際には、広告配信先メディア４０を介して、アクセス情報がＳＳＰ・ＡｄＸ１２に送られる。ＳＳＰ・ＡｄＸ１２から出力される広告に関するリクエスト情報は、リクエスト情報受信部４１で受信され、ログデータベース（ログＤＢ）４２に蓄積される。
【００４６】
［ＤＭＰデータベースのテーブル構成例］
ここで、図４を参照して、ＤＭＰデータベース３２に格納されるテーブルの構成例について説明する。当該データが、ユーザ属性記憶部によって記憶されるデータであり、ＤＭＰデータベース３２は記憶部に相当する。
【００４７】
図４に示すテーブルの例では、ユーザＩＤ（１、２、３・・・）に対応させて、クッキー情報（Ｃｏｏｋｉｅ）とユーザ属性情報が格納されている。なお、ユーザＩＤに対応させてクッキー情報、ユーザ属性情報以外の情報を格納するようにしてもよい。
【００４８】
図４に示す例では、ユーザＩＤ：１について、付与されたクッキー情報Ｃ１に対応して性別（男性）、付与されたクッキー情報Ｃ２に対応して年齢（２０〜２４歳）、付与されたクッキー情報Ｃ３に対応して職種（営業職）、付与されたクッキー情報Ｃ４に対応して位置情報（千葉県柏市）が格納されている。
【００４９】
また、ユーザＩＤ：２について、付与されたクッキー情報Ｃ１に対応して性別（男性）、付与されたクッキー情報Ｃ５に対応して年齢（３０〜３４歳）、付与されたクッキー情報Ｃ３に対応して職種（営業職）、付与されたクッキー情報Ｃ６に対応して位置情報（東京都世田谷区）、付与されたクッキー情報Ｃ７に対応して想定年収（６００万円）が格納されている。
【００５０】
また、ユーザＩＤ：３について、付与されたクッキー情報Ｃ１３に対応して性別（女性）、付与されたクッキー情報Ｃ１０に対応して職種（技術職）、付与されたクッキー情報Ｃ５に対応して年齢（３０〜３４歳）が格納されている。
【００５１】
このように、ＤＭＰデータベース３２には、ユーザＩＤ毎に付与された種々のクッキー情報に対応した各種属性情報がテーブルとして格納されている。
【００５２】
［ＤＭＰ情報の収集処理］
ここで、図６のフローチャートを参照して、実施形態に係る広告配信システム１で実行されるＤＭＰ情報の収集処理の処理手順について説明する。
【００５３】
パーソナルコンピュータＰ１、Ｐ３またはモバイル端末Ｐ２、Ｐ４による操作が開始されると、まず、ステップＳ１００で情報連携ウェブサイトにアクセスしてステップＳ１０１に移行する。
【００５４】
ステップＳ１０１では、アクセスユーザの属性情報をメディア情報受信部３１（図３参照）に送信する。送信された情報は、メディア情報受信部３１で受信される（ステップＳ１０３）。受信された情報は、ＤＭＰデータベース３２に格納されると共に、対応属性およびのクッキー情報が付与されてパーソナルコンピュータＰ１、Ｐ３またはモバイル端末Ｐ２、Ｐ４に送信される（ステップＳ１０４）。
【００５５】
そして、パーソナルコンピュータＰ１、Ｐ３またはモバイル端末Ｐ２、Ｐ４で駆動されるブラウザは対応するクッキー情報を受信（ステップＳ１０５）して処理を終了する。
【００５６】
なお、クッキー情報（Ｃｏｏｋｉｅ）は、アクセスしたサイトから付与され、ユーザのパーソナルコンピュータ等に保存されるファイルの一種である。そして、保存された情報はログイン時のＩＤやパスワードの入力補助や簡易認証、閲覧履歴の保持などに用いられる。
【００５７】
また、ステップＳ１０６では、ＤＭＰ情報を推測し、入札サーバ６０（図１参照）へ送信して処理を終了する。
【００５８】
［広告情報表示処理］
広告情報表示処理について、図７および図８を参照して説明する。
【００５９】
図７は、実施形態に係る広告配信システム１に適用される広告情報の配信システム１Ａの機能構成を示す説明図である。
【００６０】
パーソナルコンピュータＰ１（Ｐ３）またはモバイル端末Ｐ２（Ｐ４）の操作により、ＳＳＰ・ＡｄＸ１２に所定サイトへのアクセス情報が送信される。
【００６１】
ＳＳＰ・ＡｄＸ１２から送信される広告のリクエスト情報は、リクエスト情報受信部４１に受信され、オーディエンスデータベース６３に格納される。次いで、所定の広告に対する入札情報が入札情報送信部７０を介してＳＳＰ・ＡｄＸ１２へ送信される。
【００６２】
ＳＳＰ・ＡｄＸ１２は受信した入札情報に基いて所定の広告に関するオークションを実施し、落札された場合には落札情報を落札情報受信部７１に送信する。なお、具体的な処理手順については後述する。
【００６３】
落札情報受信部７１は、落札情報を受信サーバ６１に送信し、受信サーバ６１はその情報を広告配信サーバ６２に送信する。
【００６４】
落札情報を受信した広告配信サーバ６２は、落札された広告情報をインターネット等のネットワークを介してパーソナルコンピュータＰ１（Ｐ３）またはモバイル端末Ｐ２（Ｐ４）に配信する。
【００６５】
ここで、図８に示すフローチャートを参照して、実施形態に係る広告配信システム１Ａで実行される広告情報表示処理の処理手順について説明する。
【００６６】
まず、図８に示すように、ＳＳＰ・ＡｄＸ１２は、入札情報に基いて所定の広告のオークションを実施する。そして、落札成功の場合には、ステップＳ３１３に移行して、所定の広告の落札を行い、ステップＳ３１４で落札情報を受信サーバ６１に送信して処理を終了する。
【００６７】
一方、ステップＳ３１１で落札失敗した場合にはステップＳ３１２でオークションを終了して処理を終了する。
【００６８】
落札情報を受信（ステップＳ３１５）した受信サーバ６１は、落札情報を広告配信サーバ６２に送信して処理を終了する。
【００６９】
落札情報を受信（ステップＳ３１７）した広告配信サーバ６２は、落札された広告情報を抽出（ステップＳ３１８）し、その広告情報をパーソナルコンピュータＰ１（Ｐ３）またはモバイル端末Ｐ２（Ｐ４）に配信して処理を終了する。
【００７０】
落札された広告情報を受信（ステップＳ３２０）したパーソナルコンピュータＰ１（Ｐ３）またはモバイル端末Ｐ２（Ｐ４）は、落札された広告情報をディスプレイに表示して処理を終了する。
【００７１】
図９（ａ）、（ｂ）は、上記処理によって端末装置（パーソナルコンピュータＰ１（Ｐ３）またはモバイル端末Ｐ２（Ｐ４））に表示される例を示す説明図である。
【００７２】
図９（ａ）、（ｂ）に示す例では、落札された広告情報に基いて、画面の上方に、バナー広告５００Ａ、５００Ｂが表示される。
【００７３】
以上に示した本実施形態の広告配信システム１においては、ユーザがアクセスポイント５０に対してアクセスした際に、ユーザの所有する情報端末上に、アクセスポイント５０ごとに設定されたユーザ属性に対応した広告が自動的に配信される。すなわち、アクセスポイント５０は、設置された場所とを対応付けて記憶しておくことで、設置場所のエリアに訪れるユーザ属性を想定した広告配信が可能となる。この場合、ユーザはアクセスポイント５０に対して接続要求をするのみであるため、能動的に自らのユーザ属性を提供することを意識せずにすむため、ユーザの心理抵抗なしに有益な広告配信の情報を取得することができるようになる。
【００７４】
また、アクセスポイント５０での広告配信だけでなく、その後の広告配信にも有効なように、アクセスポイント５０に接続した際に、そのエリアに対応するユーザ位置属性情報が、ユーザのクッキー情報と、ＤＭＰのデータベースとに記憶される。したがって、訪問した場所によっては従来の仕組みでは取得しにくかった、ユーザの趣味嗜好や年収などのデータも訪問位置からある程度推測して取得できるようになり広告配信の精度を向上させることができるようになる。
【符号の説明】
【００７５】
１…広告配信システム
２０…情報取得連携メディア
５０…アクセスポイント
５１…接続確認部
５２…広告配信部
５３…決定部
５４…場所属性記憶部
５６…ユーザ情報取得部
【図１】
2018022252.tif 000003
【図２】
2018022252.tif 000004
【図３】
2018022252.tif 000005
【図４】
2018022252.tif 000006
【図５】
2018022252.tif 000007
【図６】
2018022252.tif 000008
【図７】
2018022252.tif 000009
【図８】
2018022252.tif 000010
【図９】
2018022252.tif 000011
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
情報端末からの接続要求を受け付け、前記情報端末に対して無線による回線接続を提供するとともに、特定の場所に対して固定で設置されるアクセスポイントと、
前記アクセスポイントが設置されている場所に関する場所属性情報を記憶した場所属性記憶部と、
前記場所属性情報に対応して配信される広告情報を予め設定して記憶した広告情報記憶部と、
接続された前記アクセスポイントに対応する前記場所属性情報に基づいて、前記情報端末に配信する広告情報を決定する決定部と、
前記情報端末が、前記アクセスポイントに接続を要求して前記無線による回線接続が正常にされた際に、前記情報端末の画面上に前記決定部で決定された広告情報を表示させる広告配信部とを備え、
前記場所属性記憶部は、前記アクセスポイントが設置されている場所に関する場所属性情報に対応するユーザ位置属性情報を予め記憶しており、
前記アクセスポイントに対して前記情報端末からの接続要求があった場合に、前記情報端末を所有するユーザのユーザ属性情報として、接続先の前記アクセスポイントの前記ユーザ位置属性情報を前記情報端末にクッキー情報として保存するとともに、前記アクセスポイントと接続されたサーバの記憶部に記憶するユーザ属性記憶部とをさらに備え、
前記決定部は、前記記憶部に記憶された前記ユーザ属性情報及び前記ユーザ位置属性情報に基づいてリアルタイム入札を行い、前記情報端末に配信する前記広告情報を決定するとともに、
前記広告配信部は、前記情報端末の画面上に前記決定部で決定された広告情報を表示させる
ことを特徴とする広告配信システム。
【請求項２】
前記情報端末が前記アクセスポイントに接続要求を行った際に、前記情報端末を所有するユーザに関する住所情報、性別情報、及び年齢情報の少なくとも１つを含む質問を前記情報端末の画面上に表示させ、当該質問に関する回答を受け付けるユーザ情報取得部とをさらに備え、
前記ユーザ属性記憶部は、前記質問に対する回答を、当該ユーザに関する前記ユーザ属性情報として、クッキー情報、及び前記記憶部に記憶させる
ことを特徴とする請求項１に記載の広告配信システム。
【請求項３】
前記ユーザ情報取得部は、前記情報端末が接続要求を行った前記アクセスポイントに対応する前記場所属性情報に基づいて、前記情報端末の画面上に表示させる質問を変更する
ことを特徴とする請求項２に記載の広告配信システム。
【手続補正２】
【補正対象書類名】明細書
【補正対象項目名】０００６
【補正方法】変更
【補正の内容】
【０００６】
上記目的を解決するために、実施形態の広告システムは、情報端末からの接続要求を受け付け、前記情報端末に対して無線による回線接続を提供するとともに、特定の場所に対して固定で設置されるアクセスポイントと、前記アクセスポイントが設置されている場所に関する場所属性情報を記憶した場所属性記憶部と、前記場所属性情報に対応して配信される広告情報を予め設定して記憶した広告情報記憶部と、接続された前記アクセスポイントに対応する前記場所属性情報に基づいて、前記情報端末に配信する広告情報を決定する決定部と、前記情報端末が、前記アクセスポイントに接続を要求して前記無線による回線接続が正常にされた際に、前記情報端末の画面上に前記決定部で決定された広告情報を表示させる広告配信部とを備え、前記場所属性記憶部は、前記アクセスポイントが設置されている場所に関する場所属性情報に対応するユーザ位置属性情報を予め記憶しており、前記アクセスポイントに対して前記情報端末からの接続要求があった場合に、前記情報端末を所有するユーザのユーザ属性情報として、接続先の前記アクセスポイントの前記ユーザ位置属性情報を前記情報端末にクッキー情報して保存するとともに、前記アクセスポイントと接続されたサーバの記憶部に記憶するユーザ属性記憶部とをさらに備え、前記決定部は、前記記憶部に記憶された前記ユーザ属性情報及び前記ユーザ位置属性情報に基づいてリアルタイム入札を行い、前記情報端末に配信する前記広告情報を決定するとともに、前記広告配信部は、前記情報端末の画面上に前記決定部で決定された広告情報を表示させる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】００１９
【補正方法】変更
【補正の内容】
【００１９】
そして、通信ネットワーク１１へのアクセス情報は、ＳＳＰ・ＡｄＸ１２へ送信される。ここで、ＳＳＰ・ＡｄＸについて簡単に説明する。まず、ＳＳＰ（Ｓｕｐｐｌｙ−Ｓｉｄｅ  Ｐｌａｔｆｏｒｍ）は、広告情報等の媒体側の収益を最大化させる仕組みを有するプラットフォームの総称である。また、ＡｄＸは、Ａｄ  Ｅｘｃｈａｎｇｅ（アドエクスチェンジ）の略であり、ＲＴＢ（Ｒｅａｌ  Ｔｉｍｅ  Ｂｉｄｄｉｎｇ：リアルタイム入札）を行う取引市場の役割を担う。
【手続補正６】
【補正対象書類名】明細書
【補正対象項目名】００３７
【補正方法】変更
【補正の内容】
【００３７】
また、アクセスポイント５０に接続されたパーソナルコンピュータＰ１およびモバイル端末Ｐ２がアクセスポイント５０の画面上には、情報取得連携メディア２０を通じてアクセスポイント５０毎に設定された広告が広告配信部５２によって表示される。アクセスポイント５０に対しては、場所属性記憶部５４によって、アクセスポイント５０が設置されている場所に関する場所属性情報に対応するユーザ位置属性情報が設定されている。決定部５３は、このアクセスポイント５０毎のユーザ位置属性情報に基づいて、アクセスポイント５０に対して配信する広告を決定する。